(57)【要約】【課題】  スライド型アクセサリーシュー及びねじ穴式アクセサリーシューのいずれにも簡単に対応して着脱できる新規な構造のビデオライトを提供する。【解決手段】  シューカバー２０に、スペーサプレート２６に設けた一対の爪体３５を着脱可能とするための凸部３６を設ける。爪体３５は上部の爪を凸部３６の上縁に引っ掛け得る。シューフランジ２７は、ボス部３７がネジ穴を備えており、ロックダイアル２３のネジ部３８をねじ込める。スペーサプレート２６、シューフランジ２７を装着したままとすればシューフランジ２７を用いてスライド型アクセサリーシューに取り付けることができ、スペーサプレート２６、シューフランジ２７を取り外してロックダイアル２３のネジ部３８を露出させればねじ穴式アクセサリーシューに取り付けることができる。【選択図】  図１
2006208912.tif 000002
【特許請求の範囲】
【請求項１】
カメラ本体側のねじ穴式アクセサリーシューに取り付けるためのネジを備えるシュー部に、着脱可能なスペーサ部材を介して、カメラ本体側のスライド型アクセサリーシューに取り付けるためのシュープレートを、前記ネジに着脱可能にネジ止めしてなるカメラライト。
【請求項２】
前記スペーサ部材は、前記シュー部の下端外縁部に係止する爪体を備える請求項１のカメラライト。
【発明の詳細な説明】
【技術分野】
【０００１】
本発明は、例えばビデオカメラに取り付けて用いるカメラライトに関し、詳細にはスライド型アクセサリーシュー及びねじ穴式アクセサリーシューの両方に簡単に対応でき、ほとんどすべてのカムコーダーに取り付け可能なものに関する。
【背景技術】
【０００２】
例えばビデオカメラによる撮影においては、その場所や目的等により、ビデオカメラ本体にカメラライトと称する照明手段を用いることがある。このような場合のために、ビデオカメラ本体には、スライド型アクセサリーシューまたはねじ穴式アクセサリーシューが設けてあり、ビデオライトを着脱できるようになっている。
【特許文献１】特開２００３−７１０３号公報
【特許文献２】特開平１１−２５２４２４号公報
【発明の開示】
【発明が解決しようとする課題】
【０００３】
しかしながら、ビデオカメラ本体に設けられるアクセサリーシューは、スライド型またはねじ穴式のどちらか一方である。またカメラライト側でも、スライドシューを備えてスライド型アクセサリーシューに取り付け可能としたものにあっては、ねじ穴式アクセサリーシューに対応するための追加部品を必要とし、ねじ穴式アクセサリーシューに取り付け可能としたものにあっては、スライド型アクセサリーシューに対応するための追加部品が必要になる。そのため、カメラライトのメーカーは、それぞれの製品に対応させてどちらかの追加部品をオプション部品として別途に購入して使用してもらうようにしている。
【０００４】
上述のようなアクセサリーシューの種別に対応する追加部品をいちいち別途購入することは、多くの種類のビデオカメラ等の撮影機機を使用するものにとっては非常に面倒である。
【０００５】
そこで本発明は、スライド型アクセサリーシュー及びねじ穴式アクセサリーシューのいずれにも簡単に対応して着脱できる新規な構造のビデオライトを提供することを目的とする。
【課題を解決するための手段】
【０００６】
本発明の請求項１に係るカメラライトは、カメラ本体側のねじ穴式アクセサリーシューに取り付けるためのネジを備えるシュー部に、着脱可能なスペーサ部材を介して、カメラ本体側のスライド型アクセサリーシューに取り付けるためのシュープレートを、前記ネジに着脱可能にネジ止めしてなるものである。
【０００７】
また請求項２に係るカメラライトは、前記スペーサ部材が、前記シュー部の下端外縁部に係止する爪体を備えるものである。
【発明の効果】
【０００８】
本発明は、スライド型アクセサリーシュー及びねじ穴式アクセサリーシューのいずれにも簡単に対応して着脱できる新規な構造のビデオライトを提供することができる。
【発明を実施するための最良の形態】
【０００９】
以下本発明を実施するための最良の形態を、図に示す実施例を参照して説明する。
【実施例１】
【００１０】
図１から図６は本発明に係るカメラライトの一実施例を示す。図中、１はライト部、２は支持部である。ライト部１は、ケース右３、ケース左４、ＬＥＤユニット５、ヒートシンク６、制御ＰＣＢ７、ノブ８等を備えている。またジョイントスクリュー、複数のタップスクリュー等を用いている。ＬＥＤユニット５は、３個のＬＥＤデバイス９、集光レンズ１０、絶縁スペーサ１１等を備え、ＬＥＤデバイス９の裏面中心には、例えば米粒大の大きさで放熱シリコンを塗布してある。また集光レンズ１０の内面側には脚１２と、ＬＥＤデバイス９を位置決めするための穴１３が設けてある。
【００１１】
支持部２は、シューカバー２０、ピン２１、コンタクトカバー２２、ロックダイアル２３、シューベースプレート２４、ラバーシート２５、スペーサプレート２６、シューフランジ２７を備え、シューカバー２０には、電源スイッチ２８やピンガイド２９、リリースバー３０、リリーススプリング３１等が設けてある。またシューカバー２０には、図示しないバッテリまたはビデオカメラ側の接続端子に取り付けるためのコネクタ３２のコード３３を接続するための穴３４が設けてあり、さらに、スペーサプレート２６に設けた一対の爪体３５を着脱可能とするための凸部３６が設けてある。爪体３５は上部の爪を凸部３６の上縁に引っ掛け得るようになっている。スペーサプレート２６とシューフランジ２７とは固着、一体化してある。
【００１２】
またシューフランジ２７は、ボス部３７がネジ穴を備えており、ロックダイアル２３のネジ部３８をねじ込めるようになっている。すなわち、スペーサプレート２６、シューフランジ２７を装着したままとすればシューフランジ２７を用いてスライド型アクセサリーシューに取り付けることができ、スペーサプレート２６、シューフランジ２７を取り外してロックダイアル２３のネジ部３８を露出させればねじ穴式アクセサリーシューに取り付けることができる。取り外したスペーサプレート２６、シューフランジ２７は、カメラライトをビデオカメラから取り外した後に、再びロックダイアル２３のネジ部３８とシューカバー２０の凸部３６を用いて取り付け直せばよい。
【００１３】
図７は上述した実施例のカメラライトの駆動回路構成例を示す。図中４０は駆動回路で、コネクタ３２を介してバッテリ４１に接続するようになっており、スイッチングレギュレータ４２、調光用及びフィードバック用の抵抗回路４３、電流検出用及びフィードバック用の抵抗回路４４等からなる。バッテリ４１の出力電圧の変化が生じても、フィードバック用の抵抗回路４４からの微少電流フィードバックをスイッチングレギュレータ４２の内蔵機能により増幅して印加電圧を下げるようにしている。
【図面の簡単な説明】
【００１４】
【図１】本発明に係るカメラライトの一実施例の正面側斜視図（Ａ）と正面側分解斜視図（Ｂ）
【図２】同背面側分解斜視図
【図３】同斜め正面側分解斜視図
【図４】同斜め背面側分解斜視図
【図５】同斜め背面側分解斜視図
【図６】同斜め正面側分解斜視図
【図７】同駆動回路構成例の図
【符号の説明】
【００１５】
１  ライト部
２  支持部
３ケース右
４ケース左
５  ＬＥＤユニット
６  ヒートシンク
７  制御ＰＣＢ
８  ノブ
９  ＬＥＤデバイス
１０  集光レンズ
１１  絶縁スペーサ
１２  集光レンズの脚
１３  集光レンズの穴
２０  シューカバー
２１  ピン
２２  コンタクトカバー
２３  ロックダイアル
２４  シューベースプレート
２５  ラバーシート
２６  スペーサプレート
２７  シューフランジ
２８  電源スイッチ
２９  ピンガイド
３０  リリースバー
３１  リリーススプリング
３２  コネクタ
３３  コード
３４  穴
３５  爪体
３６  凸部
３７  ボス部
３８  ネジ部
４０  駆動回路
４１  バッテリ
４２  スイッチングレギュレータ
４３、４４  抵抗回路
【図１】
2006208912.tif 000003
【図２】
2006208912.tif 000004
【図３】
2006208912.tif 000005
【図４】
2006208912.tif 000006
【図５】
2006208912.tif 000007
【図６】
2006208912.tif 000008
【図７】
2006208912.tif 000009